(57)【要約】      （修正有）【課題】複数の電解部により水の電解の機会を増大させることができ、しかも効率的な電解により溶存水素濃度の高い電解水素水を得ることのできる電解水素水生成器を提供する。【解決手段】プレ電解部と、プレ電解水を導水するプレ電解水導水路と、主電解部とを備えた電解水素水生成器において、前記主電解部は、隔膜により区画した陽極室と陰極室とを有し、プレ電解水を電気分解して、前記陽極室より酸性水を吐出しつつ前記陰極室よりアルカリ性の電解水素水を吐出する一方、前記プレ電解部は、陽電極と陰電極とが水流的に無区画の状態で配された電解室を有し、相対的に陽電極近傍を流れた水と陰電極近傍を流れた水とを実質的に区分することなく前記プレ電解水として吐出すると共に、前記プレ電解水導水路は、前記プレ電解部にて生成したプレ電解水を前記主電解部の陽極室と陰極室との両方に供給すべく構成したことを特徴とする電解水素水生成器。【選択図】図１
2020063464.tif 000002
【特許請求の範囲】
【請求項１】
流入する水を電気分解するプレ電解部と、同プレ電解部にて電解されたプレ電解水を導水するプレ電解水導水路と、同プレ電解水導水路により導かれたプレ電解水を導入し更に電解を行う主電解部とを備えた電解水素水生成器において、
前記主電解部は、隔膜により区画した陽極室と陰極室とを有し、各極室に配設した電極間に前記隔膜を介して通電することにより前記プレ電解水を電気分解して、前記陽極室より酸性水を吐出しつつ前記陰極室よりアルカリ性の電解水素水を吐出する一方、
前記プレ電解部は、陽電極と陰電極とが水流的に無区画の状態で配された電解室を有し、前記電極間に通電することにより流入する水を電気分解して相対的に陽電極近傍を流れた水と陰電極近傍を流れた水とを実質的に区分することなく前記プレ電解水として吐出すると共に、
前記プレ電解水導水路は、前記プレ電解部にて生成したプレ電解水を前記主電解部の陽極室と陰極室との両方に供給すべく構成したことを特徴とする電解水素水生成器。
【請求項２】
前記プレ電解水導水路の中途には、同プレ電解水導水路の流路断面積よりも大きな断面積を有するプレ電解水貯留部が介設されていることを特徴とする請求項１に記載の電解水素水生成器。
【請求項３】
前記プレ電解水導水路の中途には、浄水部が介設されていることを特徴とする請求項１または２に記載の電解水素水生成器。
【請求項４】
前記浄水部は、脱塩素手段を含むことを特徴とする請求項３に記載の電解水素水生成器。
【発明の詳細な説明】
【技術分野】
【０００１】
本発明は、電解水素水生成器に関する。
【背景技術】
【０００２】
我々が日常的に摂取する水は、健康の基礎作りとして極めて重要な役割を果たしており、人々の間で健康志向が高まる中、飲用水への注目が更に高まっている。
【０００３】
従来より、このようなニーズに合致するような飲用水は種々提案されており、例えば、飲用水中に酸素を多量に溶存させた酸素水や、水素を溶存させた水素水が知られている。
【０００４】
特に、分子状水素を含有させた水素水は、生体内酸化ストレスの低下や、血中ＬＤＬの増加抑制など、健康に寄与する報告が種々なされている。
【０００５】
このような水素水は、水中に水素を溶存させることで生成されるのであるが、その生成方法としては、例えば、飲用水中に水素ガスをバブリングする方法や、化学反応による方法、水を電気分解して生成する方法などが挙げられる。
【０００６】
中でも、水の電気分解による方法は、同じく健康づくりに役立つとされるアルカリ電解水に水素を含ませた電解水素水を生成することができ、これら双方の相乗的な効果を期待することができる（例えば、特許文献１参照。）。
【先行技術文献】
【特許文献】
【０００７】
【特許文献１】特開２００５−０４０７８１号公報
【発明の概要】
【発明が解決しようとする課題】
【０００８】
ところで、水素水中に含まれた溶存水素の量は、水素水を飲用する者にとって最も重要な関心事の一つである。特に、溶存水素量が多い水素水は、より健康増進に役立つと考える飲用者が多く、溶存水素濃度の高い水素水が求められる傾向にある。
【０００９】
これに対し、電気分解により水素水を生成する機器（以下、電解水素水生成器と称する。）では、例えば先に示した特許文献１の如く別の電解部を更に設けて電解される機会を増やすことで、比較的容易に電解水素水の溶存水素濃度を高めることが可能である。
【００１０】
しかし、電解の機会が増えたことに伴い、上記従来の電解水生成装置では水中により多くの水酸化物イオンが生成されることとなるため、電解水素水のｐＨも上昇する。
【００１１】
ところが、ｐＨの上昇に伴って電解効率は低下するため、溶存水素含量を効率的に高めることは困難となる。
【００１２】
また、飲用に適合する電解水素水のｐＨは１０以下とされており、電解の機会を増大させてより溶存水素濃度の高い電解水素水を得るためには、何らかの手段によりｐＨの上昇を抑制させることが必要となる。
【００１３】
本発明は、斯かる事情に鑑みてなされたものであって、複数の電解部により水の電解の機会を増大させることができ、しかも効率的な電解により溶存水素濃度の高い電解水素水を得ることのできる電解水素水生成器を提供する。
【課題を解決するための手段】
【００１４】
上記従来の課題を解決するために、本発明に係る電解水素水生成器では、（１）流入する水を電気分解するプレ電解部と、同プレ電解部にて電解されたプレ電解水を導水するプレ電解水導水路と、同プレ電解水導水路により導かれたプレ電解水を導入し更に電解を行う主電解部とを備えた電解水素水生成器において、前記主電解部は、隔膜により区画した陽極室と陰極室とを有し、各極室に配設した電極間に前記隔膜を介して通電することにより前記プレ電解水を電気分解して、前記陽極室より酸性水を吐出しつつ前記陰極室よりアルカリ性の電解水素水を吐出する一方、前記プレ電解部は、陽電極と陰電極とが水流的に無区画の状態で配された電解室を有し、前記電極間に通電することにより流入する水を電気分解して相対的に陽電極近傍を流れた水と陰電極近傍を流れた水とを実質的に区分することなく前記プレ電解水として吐出すると共に、前記プレ電解水導水路は、前記プレ電解部にて生成したプレ電解水を前記主電解部の陽極室と陰極室との両方に供給すべく構成した。
【００１５】
また、本発明に係る電解水素水生成器では、以下の点にも特徴を有する。
（２）前記プレ電解水導水路の中途には、同プレ電解水導水路の流路断面積よりも大きな断面積を有するプレ電解水貯留部が介設されていること。
（３）前記プレ電解水導水路の中途には、浄水部が介設されていること。
（４）前記浄水部は、脱塩素手段を含むこと。
【発明の効果】
【００１６】
本発明によれば、複数の電解部により水の電解の機会を増大させることができ、しかも効率的な電解により溶存水素濃度の高い電解水素水を得ることのできる電解水素水生成器を提供することができる。
【図面の簡単な説明】
【００１７】
【図１】第１の実施形態に係る電解水素水生成器の内部構成を示した説明図である。
【図２】第１の実施形態に係る電解水素水生成器の構成を示した概念図である。
【図３】電解水素水の溶存水素濃度の経時変化を示した説明図である。
【図４】第２の実施形態に係る電解水素水生成器の構成を示した概念図である。
【図５】第３の実施形態に係る電解水素水生成器の構成を示した概念図である。
【図６】第４の実施形態に係る電解水素水生成器の構成を示した概念図である。
【発明を実施するための形態】
【００１８】
本発明に係る電解水素水生成器は、流入する水を電気分解するプレ電解部と、同プレ電解部にて電解されたプレ電解水を導水するプレ電解水導水路と、同プレ電解水導水路により導かれたプレ電解水を導入し更に電解を行う主電解部とを備え、これら電解部により水の電解の機会を増大させ、効率的な電解により溶存水素濃度の高い電解水素水を得ることのできるものである。
【００１９】
本実施形態に係る電解水素水生成器が備えるプレ電解部と主電解部は、それぞれ別体に形成し配管の如きプレ電解水導水路で接続されていても良く、また、一体的に形成されていて、その筐体内に形成された流路の如きプレ電解水導水路で接続されていても良い。
【００２０】
主電解部は、隔膜により区画した陽極室と陰極室とを有しており、各極室に配設した電極間に前記隔膜を介して通電可能としている。
【００２１】
隔膜は、陽極室内を流れる水と陰極室内を流れる水とが相互に混じり合わず水流的に区画されており、イオン透過性を有して電極間での通電を行うことが可能な膜であれば特に限定されず、例えば一般的なアルカリイオン整水器にて隔膜として用いられる膜、より具体的には中性膜やイオン交換膜等を採用することができる。
【００２２】
主電解部では、陽極室内に配置された陽電極と陰極室内に配置された陰電極との間で通電することにより、後述するプレ電解部にて生成されたプレ電解水を電気分解して、陽極室より酸性水が、また陰極室よりアルカリ性の電解水素水が吐出される。
【００２３】
すなわち、主電解部では、プレ電解部にて予め水素含量が高めれられたプレ電解水を更に電気分解に供して、特に陰極室に流入したプレ電解水に対し水素濃度を向上させて電解水素水として吐出する。
【００２４】
プレ電解部は、主電解部に導入する前の水、多くの場合未電解の水を電解に供して水素含量を高め、プレ電解水を生成する部位である。
【００２５】
ここで、本実施形態に係る電解水素水生成器におけるプレ電解槽の構成の特徴点としては、陽電極と陰電極とが水流的に無区画の状態で配された電解室を有している点が挙げられる。
【００２６】
水流的に無区画とは、陽電極近傍を流れた水と陰電極近傍を流れた水とが相互に混じり合うことが可能な状態を意味している。
【００２７】
付言すれば、前述の主電解部の如く隔膜等により隔てられておらず電極間で水が混じり合うことが可能な構造は勿論のこと、隔てられていても電極間を抜けた下流側で水同士が合流し混合可能な実質的に区分されていない構造も含む概念である。
【００２８】
すなわち、プレ電解部は、電極間で通電して流入する水を電気分解し、相対的に陽電極近傍を流れた水と陰電極近傍を流れた水とを実質的に区分することなくプレ電解水として吐出する。
【００２９】
従って、プレ電解部内を流れる水には、プレ電解部に配置されている陰電極にて発生した水素が含まれており、予め水素濃度が高められたプレ電解水として主電解部に供給されることとなる。
【００３０】
またプレ電解部では、先述の通り陽電極近傍を流れた水と陰電極近傍を流れた水とが相互に混じり合うため、吐出されるプレ電解水の液性は中性である。
【００３１】
それゆえ、プレ電解水が主電解部の陰極室に導入された際、有隔膜の電解槽で得られた水素を含むアルカリ性の電解水を主電解部の陰極室に導入する場合に比して、電解を効率的に行うことができ、また、より多くの水素を溶解させることができる。
【００３２】
また、本実施形態に係る電解水素水生成器では、プレ電解部にて電解されたプレ電解水をプレ電解水導水路にて主電解部に導水すると共に、このプレ電解水導水路はプレ電解水を主電解部の陽極室と陰極室との両方に供給すべく構成している点にも特徴を有している。
【００３３】
従って、陽極室に流入する水もまたプレ電解水であって中性であり、有隔膜の電解槽で得られた酸素等を含む酸性の電解水を主電解部の陽極室に導入する場合に比して、電解を効率的に行うことができ、陰極室における水素の発生をより助長することができる。
【００３４】
このように、本実施形態に係る電解水素水生成器によれば、複数の電解部により水の電解の機会を増大させることができ、しかも効率的な電解により溶存水素濃度の高い電解水素水を得ることのできる電解水素水生成器を提供することができる。
【００３５】
また、プレ電解部は水流的に無区画であり、隔膜により区画された電解部を採用した場合に比して安価に電解水素水生成器を構築できるという長所もある。併せて、後述の浄水手段の如くプレ電解部の下流側に流路抵抗が発生する部材が介設され背圧が高くなる状況が生じた場合であっても、圧力によって影響を受けやすい薄膜の隔膜が備えられていないため、プレ電解部の健全性をより堅実に保つことができる。
【００３６】
また、本実施形態に係る電解水素水生成器には、プレ電解部にて生成されたプレ電解水を主電解部へ導くプレ電解水導水路に、プレ電解水貯留部を形成しても良い。
【００３７】
プレ電解水貯留部は、プレ電解部にて生成されたプレ電解水を貯留する空間としての役割を有する部位であり、プレ電解水導水路の流路断面積よりも大きな断面積を有し、より好ましくはプレ電解水が流れる流路方向の単位長さあたりの内容積を、電解水導水路の２倍以上程度とすることができる。
【００３８】
このようなプレ電解水貯留部をプレ電解水導水路に介設すれば、断続的に電解水素水を取水する場合、２回目以降の取水に際し、吐水初期の電解水素水の溶存水素濃度が極端に低下してしまうことを効果的に抑制することができる。
【００３９】
また、プレ電解水貯留部は、膨大状に拡径した中空の空間とすることも可能であるが、同様にプレ電解水を貯留する空間としての機能が確保されるのであれば、プレ電解水貯留部内に例えば中空糸膜などで形成したフィルタや、流路を流れる水に対して何らかの機能や成分を付与する資材（以下、機能性付与資材ともいう。）、例えば電解補助のためのカルシウム剤などを収容することもできる。
【００４０】
また、本実施形態に係る電解水素水生成器では、流路の中途に浄水部が設けられていても良い。この浄水部は、流路を流れる水の浄化を行うことができるものであれば、特に限定されるものではない。
【００４１】
また、浄水部の介設位置は特に限定されるものではなく、流路のいずれの位置に設けられても良いが、例えばプレ電解水導水路に設置することも可能である。この場合、例えば浄水部内に中空糸膜などで形成したフィルタ等の浄化資材を収容しておくことで、水の浄化を効率的に行うことができる。
【００４２】
また、浄水部には浄化資材の他に、機能性付与資材を収容しても良い。機能性付与資材の一例としては、例えば電気分解を効率的に行わせるためのカルシウム剤などが挙げられる。
【００４３】
なお、この浄水部は、プレ電解水導水路に単独で設けられても良く、また、いずれが上流であるか下流であるかに拘わらず、前述のプレ電解水貯留部と別個に直列にプレ電解水導水路に介設されていても良い。
【００４４】
また、プレ電解水導水路に浄水部とプレ電解水貯留部とを設ける場合、例えば浄水部にプレ電解水貯留部の機能を持たせたり、プレ電解水貯留部に浄水部の機能を持たせることで、浄水部とプレ電解水貯留部とをそれぞれ設けるのではなく、一つの部位として構成することもできる。
【００４５】
また、本実施形態に係る電解水素水生成器では、浄水部内に収容される浄化資材として、プレ電解水中に含まれる塩素臭成分を吸着する脱塩素手段を採用しても良い。
【００４６】
換言すれば、プレ電解部と主電解部との間に介設された浄水部に脱塩素手段を配し、プレ電解部にて生成したプレ電解水を主電解部に導入するにあたり、事前に脱塩素手段と接触させてプレ電解水中に含まれる塩素臭成分、特にプレ電解部内での電解で陽極またはその近傍にて発生した塩素(Cl2)や、次亜塩素酸及びその塩類の如く塩素臭を発生する成分を除去するようにしても良い。
【００４７】
このような構成とすることにより、陽電極近傍を流れた水を陰電極近傍を流れた水と実質的に区分せず双方を混合状態で主電解部へ供給する本電解水素水生成器にあっても、プレ電解部の陽極で発生した塩素臭成分を除去した上で主電解部の陰極室に導入することができ、塩素臭が可及的に低減された電解水素水を吐出させることができる。なお、浄水部にプレ電解水貯留部の機能を持たせた場合には、浄水部内のボイドボリュームが、プレ電解水が流れる流路方向の単位長さあたりの内容積を上回る体積となるようにすべきである。
【００４８】
また、脱塩素手段は活性炭を含むこととしても良い。活性炭は塩素臭成分を効率的に吸着することができ、脱塩素手段を安価に構築することができる。
【００４９】
また、活性炭はプレ電解部から吐出されたプレ電解水中に含まれる水素の一部について水素イオン化を助長すると考えられている。
【００５０】
従って、活性炭を採用しない場合に比してプレ電解水をやや酸性寄りとすることができ、主電解部の陰極室における電解をより効率的に行って水素含有量を高めることが可能となる。
【００５１】
以下、本実施形態に係る電解水素水生成器について、図面を参照しながら説明する。
【００５２】
図１は第１の実施形態に係る電解水素水生成器Ａ１の全体的な内部構成を模式的に示した説明図であり、図２は電解水素水生成器Ａ１の流路構成を簡略化して示したブロック図である。第１の実施形態に係る電解水素水生成器Ａ１は、プレ電解部と主電解部との間のプレ電解水導水路に、脱塩素機能を備えた浄水部を介設し、この浄水部にプレ電解水貯留能を持たせることでプレ電解水貯留部としての役割も果たすよう構成したものである。
【００５３】
図１に示すように、電解水素水生成器Ａ１は、原水を電気分解するプレ電解部としてのプレ電解槽１０と、プレ電解槽１０にて生成されたプレ電解水を浄化する浄水部１１と、浄化されたプレ電解水を更に電解する主電解部としての主電解槽１２と、電解水素水生成器Ａ１の各部を全体的に統括して制御する制御部１３とが備えられ、これらが略箱型とした筐体１４内に収納配設されている。
【００５４】
プレ電解槽１０は、水密状に形成された中空略箱型のケーシング１６内に電極体１５を配設して構成しており、ケーシング１６は、原水を導入する原水口１６ａと、ケーシング１６内で生成したプレ電解水を吐出する吐出口１６ｂとが形成されている。
【００５５】
原水口１６ａは、筐体１４に形成された入水口１７と原水供給管１７ａを介して接続しており、水道設備等より供給された原水をプレ電解槽１０内に導入可能としている。なお、入水口１７には、供給される原水の水の流れを検出する流水センサ１７ｂが配設されている。同流水センサ１７ｂは制御部１３と電気的に接続しており、電解水素水生成器Ａ１に対し水道設備等から原水が供給されているか否かを制御部１３にて検出可能としている。
【００５６】
電極体１５は、原水口１６ａから吐出口１６ｂへケーシング１６内を流れる原水を電気分解し、プレ電解水を生成するためのものであり、本実施形態では複数枚の電極板、より具体的には５枚の電極板１５ａ〜１５ｅにより構成された積層電極体を採用している。
【００５７】
各電極板１５ａ〜１５ｅは、交互に陰極又は陽極となるよう制御部１３と電気的にそれぞれ接続されており、図１において電極体１５と制御部１３との間を結ぶ破線にて示すように、ここでは電極板１５ａ,１５ｃ,１５ｅが陰極に、電極板１５ｂ,１５ｄが陽極になるよう接続している。
【００５８】
また、隣り合う電極板の間は、一側の電極板近傍を流れた水流と他側の電極板近傍を流れた水流とを区分する隔膜や仕切等を設けておらず無区画の状態としており、陽電極である電極板１５ｂ,１５ｄと近接しつつ流れた水と、陰電極である電極板１５ａ,１５ｃ,１５ｅと近接しつつ流れた水とが相互に混じり合うよう構成している。
【００５９】
吐出口１６ｂは、浄水部１１とプレ電解水供給管２３を介して接続しており、プレ電解槽１０にて生成されたプレ電解水を浄水部１１へ供給可能としている。
【００６０】
浄水部１１は、供給されたプレ電解水の浄化を行うための部位であり、流入口１８ａと流出口１８ｂとを有するケーシング１８内には、一部切り欠いて示すように、浄化資材１９が収容されている。
【００６１】
この浄化資材１９は、塩素臭成分を吸着する吸着材、特に活性炭が含まれており、プレ電解水中に含まれる夾雑物の他、塩素臭を発する成分を除去可能としている。
【００６２】
また浄水部１１には、カルシウムを添加するためのカルシウム剤が収容されていても良い。カルシウム剤には、乳酸カルシウムやグリセロリン酸カルシウム等が含まれており、カルシウム剤に浄水を接触させて溶出させることで電解物質の少ない水を電気分解しやすくするための促進効果を目的としている。なお、この浄水部１１は、使用により劣化した浄化資材１９や消費したカルシウム剤を交換可能とすべく、着脱自在に構成することもできる。また、浄水部１１内には中空糸膜などにより構成したフィルターの如き浄化資材１９が配されていても良いし、カルシウム剤が浄水部１１とは別のカートリッジ内に納められ、プレ電解水供給管２３や浄化プレ電解水供給管２２の中途に介設されていても良い。
【００６３】
流出口１８ｂには、浄化プレ電解水供給管２２の基端が接続されている。浄化プレ電解水供給管２２は、浄水部１１にて浄化されたプレ電解水を主電解槽１２へ供給する配管であり、その先端は陰極室供給管２０と陽極室供給管２１とに分岐部２２ａにて二叉状に分岐している。
【００６４】
ここで、本実施形態に係る電解水素水生成器Ａ１において、プレ電解水供給管２３と、浄水部１１のケーシング１８と、浄化プレ電解水供給管２２と、陰極室供給管２０と、陽極室供給管２１は、プレ電解槽１０にて電解されたプレ電解水を主電解槽１２へ導くプレ電解水導水路２４として機能する。
【００６５】
また、浄水部１１を構成するケーシング１８は、その上流側のプレ電解水供給管２３や下流側の浄化プレ電解水供給管２２における流路断面積よりも大きな空間断面積を有しており、プレ電解水導水路２４の中途に介設されたプレ電解水貯留部２４ａとして機能するよう構成している。
【００６６】
特に、先述の如くケーシング１８の内部には、浄水部１１を構成すべく多孔質の浄化資材１９として活性炭が充填されているが、実質的にプレ電解水貯留部２４ａとして機能するそのボイドボリュームは、プレ電解水供給管２３や浄化プレ電解水供給管２２における流路方向の単位長さあたりの内容積よりも大きな体積、本実施形態では２倍以上程度の体積となるよう構成しており、プレ電解水導水路２４においてより多くのプレ電解水が一時的に保持されるようにしている。
【００６７】
陰極室供給管２０は、その先端側が枝管２０ａ及び枝管２０ｂの２つの枝管に更に分岐している。枝管２０ａ及び枝管２０ｂは、主電解槽１２の陰極室にそれぞれ接続され、陰極室にプレ電解水を供給する。また、陽極室供給管１９ｂについてもその先端側は枝管２１ａ及び枝管２１ｂに分岐し、それぞれ主電解槽１２の陽極室に接続して、陽極室にプレ電解水を供給可能としている。
【００６８】
また、陽極室供給管２１の主管部分には流量調整弁２１ｃを介設している。この流量調整弁２１ｃは、陽極室に流れるプレ電解水の量を陰極室に流れるプレ電解水の量に比して制限するための調整弁であり、後述する排水流路４１を介して捨水される酸性水の量を低減する役割を有している。
【００６９】
主電解槽１２は、中央に位置する第１の電極板３１と、この第１の電極板３１を挟み込むように位置する第２の電極板３２と第３の電極板３３とを備えている。そして、第１の電極板３１と第２の電極板３２との間、及び第１の電極板３１と第３の電極板３３との間にそれぞれ隔膜３４を配設して、これら電極板３１，３２，３３、隔膜３４により、取水用電極室として機能する第１の電解室３５、副生水用電極室として機能する第２の電解室３６、副生水用電極室として機能する第３の電解室３７、取水用電極室として機能する第４の電解室３８とを区画形成している。
【００７０】
第２の電極板３２と第３の電極板３３は、筐体１４内に配設した制御部１３に設けた電源回路（図示せず）からの電力の供給を受け、取水電極板として陰極又は陽極の同一極の電極板となる一方、第１の電極板３１は、副生水電極板として第２の電極板３２と第３の電極板３３の極性とは逆の極性となる。ここでは、第２の電極板３２と第３の電極板３３とを陰極とし、第１の電極板３１を陽極としており、第１の電解室３５と第４の電解室３８とが陰極室に対応し、第２の電解室３６と第３の電解室３７とが陽極室に対応することになる。なお、電解水素水生成器Ａ１が制御部１３の制御等により酸性水の生成モードを備える場合には、逆に、第２の電極板３２と第３の電極板３３が陽極となり、第１の電極板３１は陰極となって、第１の電解室３５と第４の電解室３８とが陽極室に対応し、第２の電解室３６と第３の電解室３７とが陰極室に対応することになる。
【００７１】
各電解室３５,３６,３７,３８にはプレ電解水の流入口と、主電解槽１２でのプレ電解水の電解により生成した電解水の流出口が設けられている。
【００７２】
具体的には、陰極室として機能する第１の電解室３５の流入口３５ａと、同じく陰極室として機能する第４の電解室３８の流入口３８ａとには、陰極室供給管２０の枝管２０ａと枝管２０ｂとがそれぞれ接続されており、プレ電解水が第１の電解室３５と第４の電解室３８とに流入するよう構成している。
【００７３】
また、陽極室として機能する第２の電解室３６の流入口３６ａと、同じく陽極室として機能する第３の電解室３７の流入口３７ａとには、陽極室供給管２１の枝管２１ａと枝管２１ｂとがそれぞれ接続され、プレ電解水が第２の電解室３６と第３の電解室３７とに流入するよう構成している。
【００７４】
また、第１の電解室３５や第４の電解室３８にて電解され生成した電解水、すなわち電解水素水は、電解水素水取出流路４０の枝管４０ａ,４０ｂから合流部４０ｃに至り、電解水素水取出流路４０を介して取水される。
【００７５】
また、第２の電解室３６や第３の電解室３７にて電解され生成した所謂酸性水や酸素水と称される電解水は、電解水素水と合流させることなく、枝管４１ａ,４１ｂから合流部４１ｃに至り、排水流路４１及び排出口４２を介して排水される。なお、前述したように、各電極板３１，３２，３３の極性が逆になれば、当然ながら、電解水素水取出流路４０とした流路からは酸性水が取水され、排水流路４１からはアルカリ性の水が排水されることになる。
【００７６】
次に、このような構成を備えた電解水素水生成器Ａ１の動作や水の流れについて説明する。
【００７７】
まず、予め水道設備４５の蛇口４６には、分水栓４７の取付が行われる。この分水栓４７は、レバー４７ａの切替により、蛇口４６より供給される原水について分水栓４７の吐出口４７ｂから吐出させるか、又は電解水素水生成器Ａ１へ供給するかの選択を行う役割を有している。
【００７８】
また、分水栓４７の送水口４７ｃと電解水素水生成器Ａ１の入水口１７とを所定の給水ホース４８にて接続し、電解水素水生成器Ａ１へ原水を供給可能とする。
【００７９】
次に、電解水素水生成器Ａ１の電源プラグ４９を商用電源等に接続し、制御部１３に対し電力を供給することで、電解水素水生成器Ａ１の起動を行う。また、起動状態において制御部１３は入水口１７に配設した流水センサ１７ｂを監視しており、電解水素水生成器Ａ１に対する原水供給の有無を検知可能である。
【００８０】
このような初期設置が行われた後、電解水素水の生成を行うにあたっては、まず水道設備４５の水栓５０を開栓し、分水栓４７及び給水ホース４８を介して入水口１７に原水を供給する。
【００８１】
入水口１７内に原水が流れ込むと、制御部１３は流水センサ１７ｂにより原水供給を検知し、プレ電解槽１０の電極体１５や主電解槽１２の各電極板３１〜３３に対し給電を開始する。
【００８２】
原水供給管１７ａを通じ原水口１６ａを介してプレ電解槽１０内に流入した原水は、各電極板１５ａ〜１５ｅの間隙を通じながら吐出口１６ｂへ向けて流れる。
【００８３】
このとき、陰電極である電極板１５ａ,１５ｃ,１５ｅと接したり近傍を流れた原水は、電気分解に供されて水素を含んだアルカリ性水となる。
【００８４】
また、陽電極である電極板１５ｂ,１５ｄと接したり近傍を流れた原水は、電気分解に供されて酸素や場合によっては水道水に含まれる塩化物等に由来する塩素臭成分を含んだ酸性水となる。
【００８５】
また、プレ電解槽１０では特に、陽電極と陰電極とを水流的に無区画の状態で配しており、アルカリ性水と酸性水とは各電極間や吐出口１６ｂの近傍にて混合され、水素やその他成分を含む中性のプレ電解水として流出する。
【００８６】
プレ電解槽１０の吐出口１６ｂと浄水部１１の流入口１８ａとはプレ電解水供給管２３で接続されており、プレ電解槽１０にて生成されたプレ電解水は、浄水部１１の流入口１８ａを介してケーシング１８内に流入する。
【００８７】
ケーシング１８内においてプレ電解水は、収容されている浄化資材１９と接触することで、プレ電解水中に含まれる水や水素以外の夾雑物や成分、特に塩素臭成分の除去が行われる。
【００８８】
また、本実施形態に係る電解水素水生成器Ａ１における浄水部１１内の浄化資材１９には、前述の如く活性炭が含まれている。従って、活性炭に接触したプレ電解水は、塩素臭成分等の除去が行われるのは勿論のこと、含有する水素の一部が活性炭の作用によって水素イオンとなり、浄化後のプレ電解水のｐＨは浄化前のプレ電解水に比して酸性寄りとなる。
【００８９】
併せて、流入したプレ電解水は、プレ電解水供給管２３や浄化プレ電解水供給管２２よりも膨大状に形成された浄水部１１のケーシング１８内において、浄化資材１９が占める部分以外の隙間空間、すなわちプレ電解水貯留部２４ａとしてのケーシング１８の内部におけるボイドボリューム部分を満たす。
【００９０】
浄化処理が施されたプレ電解水は、流出口１８ｂを介して浄水部１１より流出し、浄化プレ電解水供給管２２に至る。
【００９１】
浄化プレ電解水供給管２２の先端部は陰極室供給管２０と陽極室供給管２１に分岐しており、プレ電解水はそれぞれに分配される。なお、陽極室供給管２１では流量調整弁２１ｃにより流量制限を行っており、副生水用電極室である陽極室に流入するプレ電解水量は、取水用電極室である陰極室に流入するプレ電解水量に比して少ない量としている。
【００９２】
陰極室供給管２０に至ったプレ電解水は、更に枝管２０ａ及び枝管２０ｂに分配され、陰極室である第１の電解室３５及び第４の電解室３８に供給される。
【００９３】
一方、陽極室供給管２１に至ったプレ電解水は、更に枝管２１ａ及び枝管２１ｂに分配され、陽極室である第２の電解室３６及び第３の電解室３７に供給される。
【００９４】
主電解槽１２では、各電極板３１〜３３により、隔膜３４を介したプレ電解水の更なる電気分解が行われる。
【００９５】
すなわち、隔膜３４により区画された第１の電解室３５及び第４の電解室３８では、もともと水素を含むプレ電解水に対し陰電極である第２の電極板３２や第３の電極板３３にて発生した水素や水酸化物イオンが更に溶解した電解水素水の生成が行われる。
【００９６】
また、第２の電解室３６や第３の電解室３７では、プレ電解水に対し陽電極である電極板３１にて発生した酸素や水素イオン（又はヒドロニウムイオンなどのオキソニウムイオン）が溶解した酸性水の副生が行われる。
【００９７】
また、主電解槽１２内にて生成したこれら電解水素水や酸性水は、それぞれ別の流路、すなわち、枝管４０ａ及び枝管４０ｂを通じて合流される電解水素水取出流路４０と、枝管４１ａ及び枝管４１ｂを通じて合流される排水流路４１とに分別された状態で主電解槽１２より流出する。
【００９８】
そして、排水流路４１に至った酸性水は、排出口４２を介して捨水される一方、電解水素水取出流路４０に至った電解水素水は、取水口４０ｄより取水され、飲用等に供されることとなる。
【００９９】
また、使用者が電解水素水の取水後に水栓５０を閉じれば、制御部１３は流水センサ１７ｂによって止水を検出し、プレ電解槽１０や主電解槽１２における電解を停止する。
【０１００】
このように、本実施形態に係る電解水素水生成器Ａ１によれば、図２において簡略化して示すように、水道設備４５等からの原水を分水栓４７を介して電解水素水生成器Ａ１内に導入した後に、まず、水流的に無区画のプレ電解槽１０にて水素やその他成分を含む中性のプレ電解水を生成し、このプレ電解水を隔膜により区画した主電解槽１２の陽極室と陰極室との両方に供給すべく構成している。
【０１０１】
従って、プレ電解水が主電解槽１２の陰極室に導入された際、有隔膜の電解槽で得られた水素を含むアルカリ性の電解水を主電解槽１２の陰極室に導入する場合に比して、電解を効率的に行うことができ、また、より多くの水素を溶解させることができる。
【０１０２】
しかも、陽極室に流入する水もまたプレ電解水であって中性であり、有隔膜の電解槽で得られた酸素等を含む酸性の電解水を主電解槽１２の陽極室に導入する場合に比して、電解を効率的に行うことができ、陰極室における水素の発生をより助長することができる。
【０１０３】
すなわち、プレ電解槽１０と主電解槽１２のように複数の電解部により水の電解の機会を増大させることができ、しかも効率的な電解により溶存水素濃度の高い電解水素水を得ることのできる電解水素水生成器Ａ１を提供することができる。
【０１０４】
また、プレ電解槽１０にて生成されたプレ電解水は、浄水部１１を介して主電解槽１２へ供給している。
【０１０５】
従って、プレ電解槽１０の陽極近傍を流れた水に含まれる塩素臭成分が除去されたプレ電解水を主電解槽１２の陰極室に導入することができ、塩素臭が可及的に低減された電解水素水を吐出させることができる。
【０１０６】
さらには、浄水部１１内の脱塩素手段としての浄化資材１９には、活性炭が含まれており、主電解槽１２に供給するプレ電解水を浄化前のプレ電解水に比して酸性寄りとすることができ、主電解槽１２の陰極室における電解をより効率的に行って水素含有量を高めることができる。
【０１０７】
また、再度水栓５０を開けて電解水素水を取水する場合、プレ電解水導水路２４においてプレ電解水貯留部２４ａを形成しているため、吐水初期における電解水素水の溶存水素濃度の低下を可及的抑制することができる。
【０１０８】
この点について図３に示すグラフを参照しつつ説明する。図３は水栓５０の開栓後に取水される電解水素水の溶存水素濃度の経時変化を示したグラフであり、最初に電解水素水生成器Ａ１の回路内に水を満たす状態からの取水を「初回取水」として破線で示し、初回取水後に一度水栓５０を閉じ、その後再び水栓５０を開けて取水した状態を「２回目取水」として実線で示している。なお、時間軸において0秒は、取水口４０ｄからの電解水素水の吐出が開始された時間である。
【０１０９】
本実施形態に係る電解水素水生成器Ａ１は、通水が開始されるとプレ電解槽１０及び主電解槽１２での電解が開始されるのであるが、図３にて破線で示す初回取水の曲線からもわかるように、吐出初期の溶存水素濃度は低値である。これは、電極に通電が開始されたとしても、直ちに電極から水素が多量に発生するのではなく、徐々に発生量が増加し安定するためであると考えられる。
【０１１０】
従って、２回目の取水を行った場合、同じく電極での水素発生が安定化するまで時間を要するため、本来であれば初回取水と同様に、取水初期では溶存水素濃度が極端に落ち込むこととなる。なお、電解水素水生成器Ａ１の流路内に残存している電解水素水が新たな給水に伴って吐水されるため、取水のごく初期では高い溶存水素濃度を維持する場合もあるが、いずれにせよ水素発生が安定化するまでは溶存水素含量の低い電解水素水が生成されるため、吐水される電解水素水の濃度は追って一時的に低値を示す。
【０１１１】
その反面、本実施形態に係る電解水素水生成器Ａ１では、プレ電解水導水路２４においてプレ電解水貯留部２４ａを形成しているため、図３にて実線で示す２回目取水の曲線からも分かるように、取水初期においても約1000ppb程度の比較的高濃度の溶存水素含量を保持している。
【０１１２】
これは、プレ電解水貯留部２４ａ内に貯留されているプレ電解水が溶存水素含量低下の緩衝的役割を果たすことにより、水素発生が安定化するまで生成される溶存水素含量の低い電解水素水が吐水されることを抑制するためである。
【０１１３】
それ故、本実施形態に係る電解水素水生成器Ａ１によれば、再度水栓５０を開けて電解水素水を取水する場合、吐水初期における電解水素水の溶存水素濃度の低下を可及的抑制することが可能となる。
【０１１４】
またこのような効果は、例えば２回目以降の採水が前回の採水から１２時間以内などの比較的短時間の場合に特に顕著であり、プレ電解水貯留部２４ａ内にて未だ溶存水素を含有している状態のプレ電解水を巧みに利用した水素濃度低減防止手段であると言える。
【０１１５】
このように、本実施形態に係る電解水素水生成器Ａ１によれば、複数の電解部により水の電解の機会を増大させることができ、また効率的な電解により溶存水素濃度の高い電解水素水を得ることのでき、しかも２回目以降の取水において吐水初期における電解水素水の溶存水素濃度の低下が可及的抑制される電解水素水生成器を提供することができる。
【０１１６】
なお、２回目以降の採水が前回の採水から長時間経過した後の場合、すなわち、自然拡散により溶存水素濃度が低下した状態の水（以下、脱水素水と称する。）がプレ電解水貯留部２４ａに貯留されている場合には、水素濃度低減防止手段による効果を得ることはできず、また、衛生的観点からも好ましいとは言い難い。
【０１１７】
そこで、電解水素水生成器Ａ１には、プレ電解水貯留部２４ａに水が貯留されている場合、前回の採水から長時間（例えば、１２時間を越えるような時間）が経過した場合には、制御部１３等の制御により自動的にプレ電解水貯留部２４ａ（浄水部１１）やプレ電解水導水路２４、プレ電解槽１０、主電解槽１２等の内部に滞留している水を排水する滞留水排水手段を設けることもできる。
【０１１８】
このような構成とすれば、貯留している水が新鮮で水素濃度の低減抑制が可能な状態にあってはその効果を享受することができ、その一方で貯留されている水が長時間滞留することで脱水素水の状態となった場合には、排水して次回採水の際に衛生的な水を供給することが可能となる。なお、この滞留水排出手段は、追って説明する第２〜第６の実施形態に係る電解水素水生成器において、浄水部やプレ電解水貯留部、貯留機能を備えた浄水部内に滞留している水を排出すべく採用することもできる。
【０１１９】
次に、第２の実施形態に係る電解水素水生成器Ａ２について、図４を参照しつつ説明する。図４は電解水素水生成器Ａ２の構成を模式的に示したブロック図である。
【０１２０】
電解水素水生成器Ａ２は、図２を参照しつつ説明した第１の実施形態に係る電解水素水生成器Ａ１と比較して、浄水部１１やプレ電解水貯留部２４ａがプレ電解水導水路２４に介設されておらず、浄水部１１のみプレ電解槽１０の上流側に介設されている点で構成を異にしている。
【０１２１】
また、電解水素水生成器Ａ２の浄水部１１は、浄化資材１９がその内部に収容されているが、活性炭の如き脱塩素手段の有無は限定されない。
【０１２２】
このような構成を備える電解水素水生成器Ａ２によれば、プレ電解槽１０での電解により生じた塩素臭成分の主電解槽１２への流入抑制効果や、プレ電解水の顕著な貯留効果は得られないものの、複数の電解部により水の電解の機会を増大させ、効率的な電解により溶存水素濃度が高く、しかも、原水に含まれる夾雑物等（脱塩素手段を採用した場合は、塩素臭成分も含む）の除去が成された電解水素水を得ることができる。
【０１２３】
次に、第３の実施形態に係る電解水素水生成器Ａ３について、図５を参照しつつ説明する。電解水素水生成器Ａ３は、図４を参照しつつ説明した第２の実施形態に係る電解水素水生成器Ａ２と比較して、プレ電解水導水路２４にプレ電解水貯留部２４ａが介設されている点で構成を異にしている。
【０１２４】
また、電解水素水生成器Ａ３のプレ電解水貯留部２４ａは、その内部に中空糸膜フィルター等の浄化資材１９や、カルシウム剤の如き機能性付与資材が収容されており、プレ電解水の浄化や機能性の付与を可能としている。なお、プレ電解水貯留部２４ａは、浄化資材１９や機能性付与資材が収容されておらず、空の状態としてプレ電解水の貯留機能のみ発揮されるよう構成しても良いし、いずれか一方が収容されていても良い。
【０１２５】
このような構成を備える電解水素水生成器Ａ３によれば、原水中の塩素臭成分や、プレ電解槽１０での電解により生じた塩素臭成分の主電解槽１２への流入抑制効果は得られないものの、プレ電解水の貯留による２回目以降採水時の水素濃度低下抑制効果を得ることができる。
【０１２６】
また、複数の電解部により水の電解の機会を増大させ、効率的な電解により溶存水素濃度が高く、しかも、原水に含まれる夾雑物等（浄水部１１に脱塩素手段を採用した場合は、塩素臭成分も含む）が除去された電解水素水を得ることができる。
【０１２７】
次に、第４の実施形態に係る電解水素水生成器Ａ４について、図６を参照しつつ説明する。電解水素水生成器Ａ４は、図５を参照しつつ説明した第３の実施形態に係る電解水素水生成器Ａ３と比較して、プレ電解水導水路２４に浄水部１１とプレ電解水貯留部２４ａとがそれぞれ別体として介設されている点で構成を異にしている。
【０１２８】
浄水部１１は、脱塩素手段でない浄化資材１９が採用されており、プレ電解水を例えば中空糸膜等によって浄化可能としている。なお、プレ電解水貯留部２４ａの構成は、電解水素水生成器Ａ３の構成と同様である。
【０１２９】
この電解水素水生成器Ａ４によれば、複数の電解部により水の電解の機会を増大させ、効率的な電解により溶存水素濃度が高い電解水素水を生成することができるのは勿論のこと、プレ電解槽１０での電解により生じた塩素臭成分の主電解槽１２への流入抑制効果は得られないものの、原水に含まれる夾雑物等が除去されたプレ電解水を主電解槽１２へ供給して浄化された電解水素水を得ることができ、しかも、プレ電解水の貯留による２回目以降採水時の水素濃度低下抑制効果を得ることもできる。
【０１３０】
なお、本第４実施形態では、プレ電解水導水路２４において上流側から浄水部１１、プレ電解水貯留部２４ａの順で介設したが、逆順で配設することも可能である。
【０１３１】
次に、第５の実施形態に係る電解水素水生成器Ａ５について説明する。電解水素水生成器Ａ５は、図２にて示した電解水素水生成器Ａ１と略同様の構成であるため、改めての図示は省略するが、プレ電解水導水路２４に浄水部１１を介設すると共に、同浄水部１１にプレ電解水貯留部２４ａとしての機能を持たせることで一体化している点で電解水素水生成器Ａ４と相違し、また、浄水部１１内に収容した浄化資材１９は脱塩素手段でない点で電解水素水生成器Ａ１と相違している。
【０１３２】
このような構成を備える電解水素水生成器Ａ５によれば、前述の電解水素水生成器Ａ４と同様に、複数の電解部により水の電解の機会を増大させ、効率的な電解により溶存水素濃度が高い電解水素水を生成することができるのは勿論のこと、プレ電解槽１０での電解により生じた塩素臭成分の主電解槽１２への流入抑制効果は得られないものの、原水に含まれる夾雑物等が除去されたプレ電解水を主電解槽１２へ供給して浄化された電解水素水を得ることができ、しかも、プレ電解水の貯留による２回目以降採水時の水素濃度低下抑制効果を得ることもできる。
【０１３３】
次に、第６の実施形態に係る電解水素水生成器Ａ６について説明する。電解水素水生成器Ａ６は、図６にて示した電解水素水生成器Ａ４と略同様の構成であるため、改めての図示を省略するが、浄水部１１に浄化資材１９として脱塩素手段が収容されている点で電解水素水生成器Ａ４と相違し、また、プレ電解水導水路２４に浄水部１１とプレ電解水貯留部２４ａとがそれぞれ別体として介設されている点で電解水素水生成器Ａ１と相違している。
【０１３４】
そして、このような構成を備える電解水素水生成器Ａ６によれば、先に述べた電解水素水生成器Ａ１と同様に、複数の電解部により水の電解の機会を増大させ、効率的な電解により溶存水素濃度が高い電解水素水を生成することができるのは勿論のこと、プレ電解槽１０での電解により生じた塩素臭成分の主電解槽１２への流入を抑制しつつプレ電解水を主電解槽１２へ供給して塩素臭の極めて少ない電解水素水を生成ことができ、しかも、プレ電解水の貯留による２回目以降採水時の水素濃度低下抑制効果を得ることができる。
【０１３５】
なお、本第６実施形態もまた第４実施形態と同様に、プレ電解水導水路２４における浄水部１１とプレ電解水貯留部２４ａとの順は逆順で配設することも可能である。
【０１３６】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１３７】
１０  プレ電解槽
１１  浄水部
１２  主電解槽
１３  制御部
１５  電極体
１５ａ〜１５ｅ  電極板
１９  浄化資材
３１  第１の電極板
３２  第２の電極板
３３  第３の電極板
３４  隔膜
３５  第１の電解室
３６  第２の電解室
３７  第３の電解室
３８  第４の電解室
Ａ１〜Ａ６  電解水素水生成器
【図１】
2020063464.tif 000003
【図２】
2020063464.tif 000004
【図３】
2020063464.tif 000005
【図４】
2020063464.tif 000006
【図５】
2020063464.tif 000007
【図６】
2020063464.tif 000008